(57)【要約】【課題】振動センサを利用することで、錠本体を、他人が触れることができない内部に設け、いたずら等による破壊を回避する。【解決手段】電子錠システム１は、ＩＤ情報を持ちカンヌキ２Ａが出没可能である錠本体２と、ＩＤ情報を持ち錠本体２に無線送信を可能とするキー手段３とを備える。錠本体２は、キー手段３よりＩＤ情報を無線送信され、キー手段３側のＩＤ情報と錠本体２側のＩＤ情報が合致した場合に、錠本体２のカンヌキ２Ａを出没させ、施錠動作あるいは開錠動作を実行する。この錠本体２は、錠本体２の振動を検出する振動センサー１１を備え、それよりの振動信号を受けて、振動周波数が設定範囲内の周波数である場合に、キー手段３に電磁誘導により電力を供給し、このキー手段３からＩＤ情報が無線送信される。【選択図】  図１
2009191462.tif 000002
【特許請求の範囲】
【請求項１】
出没可能であるカンヌキを有しＩＤ情報を持つ錠本体と、前記錠本体に対応するＩＤ情報を持ち前記錠本体に無線送信を可能とするキー手段を備え、
前記錠本体は、前記キー手段からの無線送信を受信するためのアンテナ手段と、前記キー手段よりＩＤ情報を受信し前記キー手段側のＩＤ情報と前記錠本体側のＩＤ情報が合致するか否かを判定するＩＤ判定手段とを備え、
前記ＩＤ判定手段にてＩＤ情報が合致した場合に、前記錠本体のカンヌキを出没させ、施錠動作あるいは開錠動作を実行する電子錠システムであって、
前記錠本体は、
乾電池あるいは充電池である電源と、
前記錠本体が振動した場合にその振動を検出する振動検出手段と、
この振動検出手段よりの検出信号を受け前記錠本体の振動を検出した場合に前記アンテナ手段に給電信号を送信する給電判定手段とを備え、
前記アンテナ手段は、前記給電信号を受けたときに前記キー手段に電磁誘導により電力を供給し、前記キー手段を、ＩＤ情報送信可能状態とすることを特徴とする電子錠システム。
【請求項２】
前記給電判定手段は、
前記振動検出手段よりの検出信号に基づき前記錠本体の振動周波数が、予め設定した設定範囲内の周波数であるか否かを判定する周波数判定手段と、
この周波数判定手段からの信号を受け、前記設定範囲内の周波数の振動であると判定した場合に、予め定めた時間内で給電信号を前記アンテナ手段に出力する信号出力手段とを備えることを特徴とする請求項１記載の電子錠システム。
【請求項３】
前記カンヌキを出没させる駆動手段と、
前記信号出力手段からの信号を受け、前記キー手段への、電磁誘導による電力供給に先立って前記電源の電圧が設定電圧以下であるか否かを判定する電圧判定手段と、
この電圧判定手段よりの信号を受け前記電源の電圧が設定電圧以下である場合に前記駆動手段により開錠動作を実行させ、開錠状態のまま停止させる駆動制御手段とを備えることを特徴とする請求項２記載の電子錠システム。
【請求項４】
前記給電判定手段は、前記信号出力手段が前記アンテナ手段に給電信号を出力してからの経過時間をカウントするタイマー手段を備え、
前記信号出力手段は、前記アンテナ手段およびタイマー手段よりの信号を受け前記一定時間内に前記キー手段からの無線送信を前記アンテナ手段が受信しない場合には、前記給電信号の出力を停止する構成とされていることを特徴とする請求項２または３記載の電子錠システム。
【発明の詳細な説明】
【技術分野】
【０００１】
本発明は、ＲＦＩＤ(Radio Frequency IDentification)を用いた電子錠システムに関するものである。
【背景技術】
【０００２】
従来、ラッチや南京錠と同様に、電子錠を用いて、家具や机などの開き戸、引き出しなどを施錠状態にすることは知られている（例えば、特許文献１参照）。
【０００３】
そのようなものとして、例えば図７に示すものが知られている。つまり、家具やガラスケースの開閉部に後付けで錠本体１０１が取り付けられており、キー手段１０２で錠本体の一部であるスイッチ１０３を押すと、ＣＰＵ１０４による制御にて、錠本体１０１はＯＦＦ状態（待機状態）からＯＮ状態（動作状態）に変化し、錠本体１０１が備えるアンテナコイル１０５より、キー手段１０２（パッシブタグ）に電磁誘導により電力を供給するようになっている。
【０００４】
このようにしてキー手段１０２の操作により錠本体１０１がＯＮ状態になると、キー手段１０２が持つＩＤ情報を錠本体１０１に送信し、ＣＰＵ１０４において前記ＩＤ情報が錠本体１０１に登録済みのＩＤ情報であるか否かが判定され、登録済みのＩＤ情報であれば、モーター１０６が動作し、カンヌキ１０７が施錠方向に動作を行う。また、施錠状態で、キー手段１０２でスイッチ１０３を押すと、上述した場合とは逆に、カンヌキ１０７が開錠方向に動作することになる。なお、電源として、乾電池１０８を有する。
【特許文献１】特開平６−１９３３２０号公報（図３）
【発明の開示】
【発明が解決しようとする課題】
【０００５】
錠本体１０１の一部（スイッチ１０３）を、ＩＤ情報を持つキー手段１０２で押すと、錠本体１０１はＯＮ状態となり、キー手段１０２からＩＤ情報の送信電波を受信し、カンヌキ１０７が開錠される構成であるため、錠本体１０１とキー手段１０２は必ず接触する必要がある。また、錠本体１０１はキー手段１０２と接触する構成であるため、誰でも触れることができる外部に設置しなければならず、いたずら等により破壊されるおそれがある。
【０００６】
そのようなおそれを回避するために、錠本体を、他人が触れることができない内部（例えばショウウインドウなどのガラスケースの引き戸内や、タンスなどの家具の引き出し内など）に設けることが考えられるが、錠本体を前記内部に設けると、錠本体の一部（スイッチ）をキー手段で押すことができないし、電源として乾電池（あるいは充電池）を用いるので、消費電力の問題などにより常時電源をＯＮ状態（動作状態）にすることもできず、非動作時には電源をＯＦＦ状態（省電力待機状態）にしておく必要がある。
【０００７】
そこで、発明者は、振動検出手段を利用することで、必要時にのみ振動を付与することで、その振動を検出して錠本体の電源がＯＮ状態になるようにすることで、前述した消費電力などの問題を回避することができることに着想し、本発明をなすに至ったものである。
【０００８】
この発明は、振動検出手段を利用することで、錠本体を、他人が触れることができない内部に設けることができるようにして、いたずら等による破壊を回避することを目的とする。
【課題を解決するための手段】
【０００９】
請求項１の発明は、出没可能であるカンヌキを有しＩＤ情報を持つ錠本体と、前記錠本体に対応するＩＤ情報を持ち前記錠本体に無線送信を可能とするキー手段を備え、
前記錠本体は、前記キー手段からの無線送信を受信するためのアンテナ手段と、前記キー手段よりＩＤ情報を受信し前記キー手段側のＩＤ情報と前記錠本体側のＩＤ情報が合致するか否かを判定するＩＤ判定手段とを備え、前記ＩＤ判定手段にてＩＤ情報が合致した場合に、前記錠本体のカンヌキを出没させ、施錠動作あるいは開錠動作を実行する電子錠システムであって、前記錠本体は、乾電池あるいは充電池である電源と、前記錠本体が振動した場合にその振動を検出する振動検出手段と、この振動検出手段よりの検出信号を受け前記錠本体の振動を検出した場合に前記アンテナ手段に給電信号を送信する給電判定手段とを備え、前記アンテナ手段は、前記給電信号を受けたときに前記キー手段に電磁誘導により電力を供給し、前記キー手段を、ＩＤ情報送信可能状態とすることを特徴とする。
【００１０】
このようにすれば、振動検出手段を備えることで、キー手段にて錠本体に直接触れることなく、錠本体側からの電磁誘導による電力供給により、キー手段を、ＩＤ情報送信可能状態とすることができる。これにより錠本体の取付場所についての制限がなくなり、例えば家具やガラスケースなどの内部に取り付けることが可能となり、他人が触れることができないようにできるので、いたずらなどによる、破壊を回避することができる。
【００１１】
この場合、請求項２に記載のように、前記給電判定手段は、前記振動検出手段よりの検出信号に基づき前記錠本体の振動周波数が、予め設定した設定範囲内の周波数であるか否かを判定する周波数判定手段と、この周波数判定手段からの信号を受け、前記設定範囲内の周波数の振動であると判定した場合に、予め定めた時間内で給電信号を前記アンテナ手段に出力する信号出力手段とを備えることが望ましい。
【００１２】
このようにすれば、錠本体の振動周波数が設定範囲内の周波数であると判定した場合にのみ動作状態となり、その他の場合は省電力待機状態となるので、消費電流が少なくてすみ、節電が図れる。
【００１３】
よって、ＲＦＩＤを用いる場合において、消費電力の問題などにより常時動作可能状態としておくことができない乾電池や充電池を電源として用いる際に有利である。
【００１４】
請求項３に記載のように、前記カンヌキを出没させる駆動手段と、前記信号出力手段からの信号を受け、前記キー手段への、電磁誘導による電力供給に先立って前記電源の電圧が設定電圧以下であるか否かを判定する電圧判定手段と、この電圧判定手段よりの信号を受け前記電源の電圧が設定電圧以下である場合に前記駆動手段により開錠動作を実行させ、開錠状態のまま停止させる駆動制御手段とを備えることが望ましい。ここで、「設定電圧」は、駆動手段を繰り返して駆動することはできないが、少なくとも１回駆動して、開錠動作が可能となる電圧である。
【００１５】
このようにすれば、電源（乾電池や充電池）の電圧の低下により、開錠動作ができず、施錠状態のままになるのが回避される。
【００１６】
請求項４に記載のように、前記給電判定手段は、前記信号出力手段が前記アンテナ手段に給電信号を出力してからの経過時間をカウントするタイマー手段を備え、前記信号出力手段は、前記アンテナ手段およびタイマー手段よりの信号を受け前記一定時間内に前記キー手段からの無線送信を前記アンテナ手段が受信しない場合には、前記給電信号の出力を停止する構成とされていることが望ましい。
【００１７】
このようにすれば、錠本体の振動周波数が設定範囲内の周波数であると判定した場合に動作状態となっても、キー手段からの無線送信をアンテナ手段が受信しない場合には、前記アンテナ手段への給電信号の出力が停止され、待機状態に復帰することになり、節電が図られる。
【発明の効果】
【００１８】
本発明は、上記のように構成したから、錠本体の取付場所についての制限がなくなり、例えば家具やガラスケースなどの内部に取り付けることが可能となる。また、他人が触れることができない内部に錠本体があるため、いたずらなどによる、破壊を回避することができる。
【発明を実施するための最良の形態】
【００１９】
以下、本発明の実施の形態を図面に沿って説明する。
【００２０】
図１は本発明に係る電子錠システムの一実施の形態を示す概略構成図である。
【００２１】
図１に示すように、電子錠システム１は、周知のＲＦＩＤを利用したもので、錠本体２（タグリーダ）と、キー手段３（パッシブタグ）とを備える。錠本体２は、ケーシングから出没可能であるカンヌキ２Ａを有し、登録された固有のＩＤ情報を持つ。キー手段３は、錠本体２に無線送信を可能とするものであり、錠本体側の登録済みのＩＤ情報に対応するＩＤ情報を持つ。錠本体２は、キー手段３よりＩＤ情報（ＩＤ情報信号）が送信され、キー手段３側のＩＤ情報と錠本体２側のＩＤ情報が合致した場合に、錠本体２のカンヌキ２Ａを出没させることで、施錠動作あるいは開錠動作を実行するようになっている。
【００２２】
この錠本体２は、錠本体２が振動した場合にその振動を検出する振動センサー１１（振動検出手段）と、この振動センサ−１１よりの検出信号を受け錠本体２の振動周波数が予め設定した設定範囲内の周波数である場合に、電磁誘導によりキー手段３を起動させ、このキー手段３を、ＩＤ情報送信可能状態とする給電判定手段１２とを備える。
【００２３】
給電判定手段１２は、振動センサ−１１よりの検出信号に基づき錠本体２の振動周波数が前記設定範囲の周波数であるか否かを判定する周波数判定手段１２Ａと、この周波数判定手段１２Ａよりの信号を受け前記設定範囲内の周波数であると判定した場合に、予め定めた時間内で給電信号をアンテナコイル１３（アンテナ手段）に出力する信号出力手段１２Ｂとを有する。そして、このアンテナコイル１３が給電信号を受けると、アンテナコイル１３は、電磁誘導によりキー手段３を起動させる動作状態となる。また、給電判定手段１２は、信号出力手段１２Ｂがアンテナコイル１３に給電信号を出力してからの経過時間をカウントするタイマー手段１２Ｃを備え、信号出力手段１２Ｂは、アンテナコイル１３およびタイマー手段１２Ｃよりの信号を受け前記一定時間内にキー手段３からの無線送信をアンテナコイル１３が受信しない場合には、節電のために、前記給電信号の出力を停止するようになっている。この周波数判定手段１２Ａと信号出力手段１２Ｂとタイマー手段１２Ｃとは、ＣＰＵ２１の一部として構成される。なお、振動センサー１１からの信号は、風などで誤動作を起こさないようにフィルタ１６により極力余分な周波数をカットし、必要な周波数を検出できるように設定されている。
【００２４】
また、電源として、乾電池１４（あるいは充電池）を備え、カンヌキ２Ａを出没動作させる駆動手段として駆動モーター１５を備える。
【００２５】
そして、ＣＰＵ２１は、前述した周波数判定手段１２Ａと信号出力手段１２Ｂとタイマー手段１２Ｃとのほか、駆動モーター１５（駆動手段）を駆動制御する駆動制御手段２１Ａと、信号出力手段１２Ｂより検出信号を受け、キー手段３への電磁誘導による電力供給に先立って、乾電池１４（電源）の電圧が設定電圧以下であるか否かを判定する電圧判定手段２１Ｂと、キー手段３から送信されるＩＤ情報と登録済みのＩＤ情報とが合致するかどうかを判定するＩＤ判定手段２１Ｃとを備える。
【００２６】
駆動制御手段２１Ａは、電圧判定手段２１ＢとＩＤ判定手段２１Ｃからの信号を受け、電源電圧が設定電圧を超えかつＩＤ情報が合致している場合のみに、駆動モーター１５を駆動制御して、施錠動作をさせたり開錠動作をさせたりするが、電圧判定手段２１Ｂよりの信号を受け乾電池１４の電圧が設定電圧以下である場合には、駆動モーター１５を駆動して開錠動作を実行させ、開錠状態のまま停止させるようになっている。
【００２７】
この錠本体２は、図２および図３に示すように、ガラスケース３１の各引き戸３１Ａに取り付けられ、この錠本体２に外側より使用者が指などで振動を付与すると、それを振動センサー１１が検出して、キー手段３を一定時間内に近づけることで、ＩＤ情報の確認がなされ、駆動モーター１５を駆動制御して、ケース本体３１Ｂのカンヌキ止め３２にカンヌキ２Ａを係合させる施錠動作をしたり、カンヌキ２Ａの係合を解除させる開錠動作をさせたりする。なお、錠本体２は、図４に示すように、ケース本体３１Ｂの底面側に取り付けるようにすることもできるのはもちろんである。
【００２８】
よって、上記のように構成すれば、錠本体２に対し、予め設定された周波数範囲の振動が付与されると、それを振動センサ１１が検出し、錠本体２は、待機状態（ＯＦＦ状態）から動作状態（ＯＮ状態）になる。乾電池１４が設定電圧以下の低電圧状態である場合を除き、前記動作状態を一定時間（例えば数秒間）維持している間に、外側よりキー手段３が近づけられると、アンテナコイル１３よりキー手段３に電力が電磁誘導により供給される。これにより、キー手段３を起動してキー手段３が有するＩＤ情報が錠本体２に送信（返信）され、そのＩＤ情報が錠本体２において登録済みのＩＤ情報に合致すれば、錠本体２の駆動モーター１５が動作し、カンヌキ２Ａが施錠方向に動作する。なお、振動を検出し、動作状態でキー手段３を前記一定時間内に認識できなった場合には、待機状態に戻る。
【００２９】
また、施錠状態において、もう一度外側より振動を付与すると、駆動モーター１５が上述した場合とは逆方向に動作をすることで、カンヌキ２Ａが開錠方向に動作する。
【００３０】
そして、振動を検出し、動作状態となっても、乾電池１４が低電圧状態であれば、カンヌキ２Ａは開錠状態を維持して停止する。よって、乾電池１４の交換を行うことができる。
【００３１】
具体的には、図５に示すように、乾電池１４の装填、交換などによりスタートすると、まず、待機状態になり（ステップＳ１）、錠本体２が振動したか否かが判定される（ステップＳ２）。この判定は、振動を検出するまで繰り返され、その間は乾電池１４から電力がアンテナコイル１３に供給されない待機状態が維持される。
【００３２】
振動が検出されると、その振動は設定された周波数、つまり予め設定された範囲内の周波数であるか否かが判定され（ステップＳ３）、設定範囲内の周波数であれば、乾電池１４から電力がアンテナコイル１３に電磁誘導により供給する動作状態となり（ステップＳ４）、設定範囲でなければ、ステップＳ１に戻り、待機状態となる。
【００３３】
動作状態となると、続いて、低電圧であるか否かが判定され（ステップＳ５）、低電圧であれば、正常に動作しないおそれがあるので、ＬＥＤ（図示せず）を点灯し（ステップＳ６）、カンヌキ２Ａが施錠状態であれば開錠状態として、開錠状態であればそのまま停止する（ステップＳ７）。この停止状態は乾電池１４を交換するまで維持され、乾電池１４の交換（ステップＳ８）により、待機状態に戻る。
【００３４】
一方、低電圧状態でなければ、正常に動作すると考えられるので、続いて、キー手段３が錠本体２に近づいたか否かが判定され（ステップＳ９）、アンテナコイル１３が動作状態になってから一定時間（例えば数秒間）内にキー手段３が近づかないと、利用者には開錠の意思がないものと考えられるので、待機状態に戻る。一方、一定時間内にキー手段３が近づくと、アンテナコイル１３は動作状態にあるので、錠本体２よりキー手段３にアンテナコイル１３を通じて電力が電磁誘導により供給され（ステップＳ１０）、キー手段３が起動しキー手段３よりＩＤ情報がアンテナコイル１３に向けて送信される（ステップＳ１１）。つまり、アンテナコイル１３から電磁誘導により供給された電力をエネルギー源としてキー手段３が動作可能な状態となる。この電力の供給によりキー手段３が起動し、ＩＤ情報が１３．５ＭＨｚの搬送波の電波でアンテナコイル１３側に送信される。
【００３５】
次に、キー手段３の持つＩＤ情報が錠本体２が持つ登録済みのＩＤ情報であるか否かが判定され（ステップＳ１２）、錠本体２に登録済みのＩＤ情報であれば、モーター１５を動作させ（ステップＳ１３）、カンヌキ２Ａを出没動作させ（ステップＳ１４）、施錠動作あるいは開錠動作が行われ（ステップＳ１５）、待機状態に戻る。一方、ステップＳ１２の判定で錠本体２に登録済みのＩＤ情報でないと判定されれば、何ら動作をすることなく、直ちに待機状態に戻る。
【００３６】
前述した実施の形態では、ショウウインドウなどのガラスケースの引き戸に錠本体を設けているが、本発明はそれに限定されるものではなく、例えば図６に示すように、タンスなどの家具４１の引き出し４１Ａに錠本体２を設けることも可能である。この実施の形態の場合には、家具４１の本体４１Ｂ側にカンヌキ２Ａが係脱可能に係合する凹部４１Ｂａを設けているが、図２および図３に示す実施の形態のようにカンヌキ止めを設けるようにしてもよいのはいうまでもない。
【図面の簡単な説明】
【００３７】
【図１】本発明に係る電子錠システムの一実施の形態を示す概略構成図である。
【図２】前記電子錠システムの適用例の説明図である。
【図３】前記電子錠システムの適用例の説明図である。
【図４】前記電子錠システムの適用例の説明図である。
【図５】処理の流れを示すフォローチャート図である。
【図６】前記電子錠システムの適用例の説明図である。
【図７】従来例についての図１と同様の図である。
【符号の説明】
【００３８】
１    電子錠システム
２    錠本体
２Ａ    カンヌキ
３    キー手段
１１    振動センサー
１２    給電判定手段
１２Ａ    周波数判定手段
１２Ｂ    信号出力手段
１２Ｃ    タイマー手段
１３    アンテナコイル
１４    乾電池
１５    駆動モーター
２１    ＣＰＵ
２１Ａ    駆動制御手段
２１Ｂ    電圧判定手段
２１Ｃ    ＩＤ判定手段
【図１】
2009191462.tif 000003
【図２】
2009191462.tif 000004
【図３】
2009191462.tif 000005
【図４】
2009191462.tif 000006
【図５】
2009191462.tif 000007
【図６】
2009191462.tif 000008
【図７】
2009191462.tif 000009